(57)【要約】【課題】本発明は、空洞部を有する１種２個のブロックと１種1個のブロックとをベース部を介して配置することにより、ＪＩＳ規格基準以上の強度を有することを可能とする透かしブロックを提供することを目的とするものである。【解決手段】本発明の透かしブロック１は、１種２個の両側ブロック２と、両側ブロック間に配置される１種１個の中央ブロック３と、両側ブロック２と中央ブロック３との接合側の上下位置に互いに嵌合可能なベース部７、７Ａと、両側ブロック２と中央ブロック３のベース部７、７Ａを接合する際に両側ブロック２と中央ブロック３との間に形成された通気路２０を備える。【選択図】図１
2010100997.tif 000002
【特許請求の範囲】
【請求項１】
１種２個の両側ブロックと、
前記両側ブロック間に配置される１種１個の中央ブロックと、
前記両側ブロックと中央ブロックとの接合側鉛直方向の上下位置に突設される互いに嵌合可能なベース部と、
前記両側ブロックと中央ブロックのベース部を接合する際に該両側ブロックと中央ブロックとの間に形成された通気路を備える
透かしブロック。
【請求項２】
前記両側ブロックおよび中央ブロックに縦筋挿入用空洞部が開口され、該両側ブロックおよび中央ブロックの縦筋挿入用空洞部内に固定用鉄筋が挿入されることにより、前記両側ブロックおよび中央ブロックが挟持され、更に縦筋挿入用空洞部内にグラウト材が充填される
請求項１に記載の透かしブロック。
【請求項３】
前記両側ブロックおよび中央ブロックのベース部を接合する際に、目地形状に合致するように成型された仮設目地押え材が上位置のベース部目地の下側に挟み込まれると共に、前記両側ブロックおよび中央ブロックの縦筋挿入用空洞部内に固定用鉄筋が挿入されることにより目地幅が確保された状態で前記両側ブロックおよび中央ブロックが挟持され、更に目地にグラウト材が充填される
請求項１または請求項２に記載の透かしブロック。
【発明の詳細な説明】
【技術分野】
【０００１】
本発明は、透かしブロックに関する。詳しくは主として建築物に用いられ配筋のための空洞を有する建築用コンクリートブロックと併用してデザインや風通しのために使用される透かしブロックに係るものである。
【背景技術】
【０００２】
従来より通気路を構成するために空洞部が貫通された建築用コンクリートブロックが提案されており、例えば非特許文献１に記載されている。具体的には通気路を構成するために両面フェイスシェルを貫通して波模様等を施し、その模様の空間部を通気路とする透かしブロックがある。
【０００３】
また、例えば特許文献１及び特許文献２並びに特許文献３に記載されている建築用コンクリートブロックは、通気路を構成するためにブロックの両面フェイスシェルに貫通する開口部をブロックの長辺方向に長く設けると共に、ガラリ形状などを設けて通気路とされた構成の透かしブロックが提案されている。
【０００４】
また、例えば特許文献４、特許文献５あるいは特許文献６に記載されている建築用コンクリートブロックは、通気路を構成するためにフェイスシェルの上部または下部、あるいは上部下部共に切り欠きの開口部を設け、隣接する上段又は下段のブロックの切り欠きの開口部と共に内部の空洞部を利用して通気路とする、あるいはそのブロック自体に設けられた上部下部の切り欠きの開口部と内部の空洞部とで通気路とされた構成の透かしブロックが提案されている。
【０００５】
また、例えば特許文献７および特許文献８に記載されている建築用コンクリートブロックは、通気路を構成するためにブロックの両面フェイスシェルに貫通する開口部をブロックの短辺方向に複数設けると共に、ガラリ形状などを内部に設けて通気路とされた構成の透かしブロックが提案されている。
【０００６】
また、例えば特許文献９に記載されている建築用コンクリートブロックは、通気路を構成するために凸部を有するブロックと凹部を有するブロックを間隔をおいて相対させ、その空間が通気路とされた構成の透かしブロックが提案されている。
【０００７】
【非特許文献１】福井県建築ブロック協業組合  ホームページ（http://www.chuokai-fukui.or.jp/~cb-fukui/）透かしブロック
【特許文献１】実開昭５９−１３８６１６号公報
【特許文献２】実開昭５５−４２５５号公報
【特許文献３】実開昭６３−１８４８１４号公報
【特許文献４】実開昭５７−７７５１７号公報
【特許文献５】実開昭５５−１２０号公報
【特許文献６】実開昭５９−１４２３１９号公報
【特許文献７】登録実用新案  第３０１８８０５号公報
【特許文献８】実開昭５５−１０７５１４号公報
【特許文献９】実開昭５８−２７４１４号公報
【発明の開示】
【発明が解決しようとする課題】
【０００８】
非特許文献１における建築用コンクリートブロックは、縦筋および横筋を配筋するための日本工業規格（以下「ＪＩＳ規格」と称する。）に適合した有効な空洞部を有していない。
また、ウェブシェルが無いこと及びフェイスシェルの開口部が大きいために、ブロックの性能として要求される全断面積に対する圧縮強さを満たさない可能性がある。
更に、連続して施工を行う場合は、配筋が不十分となることにより構造物の強度を低下させるために問題であり、又、単独で施工を行う場合でも縦筋および横筋の配筋位置に透かしブロックの施工位置が制約される。
【０００９】
また、特許文献１、特許文献２あるいは特許文献３に示される建築用コンクリートブロックは、両面フェイスシェルを貫通してブロックの長さ方向に通気路を構成していることから、ブロックの性能として要求される全断面積に対する圧縮強さを満たさない可能性があり、更にＪＩＳ規格基準を満たす断面積、最小幅を有する縦筋を挿入する空洞部が中央部に設けられていないために破れ目地での施工方法はできない。
また、構造が複雑であることからブロック成型に求められるコンクリートの密実な充填が困難であることが考えられる。
【００１０】
次に特許文献４、特許文献５あるいは特許文献６に示される建築用コンクリートブロックは、フェイスシェルの上部又は下部に切り欠きの開口部を設けていることにより、ブロックの性能として要求される全断面積に対する圧縮強さを満たさない可能性が有り、切り欠き部分は目地施工ができないために、構造物の強度に悪影響を与える可能性がある。
【００１１】
また、特許文献７あるいは特許文献８に示される建築用コンクリートブロックは、構造が複雑であることからブロック成型に求められるコンクリートの密実な充填が困難であることが考えられる。更に、両面フェイスシェルに開口部を設けていることにより、ブロックの性能として要求される全断面積に対する圧縮強さを満たさない可能性がある。
【００１２】
また、特許文献９に示される建築用コンクリートブロックは、縦筋および横筋を配筋するためのＪＩＳ規格に適合した有効な空洞部を有していない。更に、凸部を有するブロックと凹部を有するブロックの接合方法が無いことにより建築用コンクリートブロックの一体性が無く構造物の強度に悪影響を与える可能性がある。
【００１３】
本発明は、以上の点に鑑みて創案されたものであって、空洞部を有する１種２個のブロックと１種1個のブロックとをベース部を介して配置することにより、ＪＩＳ規格基準以上の強度を有することを可能とする透かしブロックを提供することを目的とするものである。
【課題を解決するための手段】
【００１４】
上記の目的を達成するために、本発明に係る透かしブロックは、１種２個の両側ブロックと、前記両側ブロック間に配置される１種１個の中央ブロックと、前記両側ブロックと中央ブロックとの接合側鉛直方向の上下位置に突設される互いに嵌合可能なベース部と、
前記両側ブロックと中央ブロックのベース部を接合する際に該両側ブロックと中央ブロックとの間に形成された通気路を備える。
【００１５】
ここで、共にＪＩＳ規格基準以上の厚みのフェイスシェルとウェブシェルを２個所有する両側ブロックと中央ブロックとの接合側鉛直方向の上下位置に突設される互いに嵌合可能なベース部を突設形成することにより、両側ブロックと中央ブロックとの間に通気路が形成されると共に、両側ブロックと中央ブロックと接合が確実に行うことが可能となり、かつフェイスシェルを損なうことなくＪＩＳ規格以上強度を確保することができる。
【００１６】
また、両側ブロックおよび中央ブロックに縦筋挿入用空洞部が開口され、両側ブロックおよび中央ブロックの縦筋挿入用空洞部内に固定用鉄筋が挿入されることにより、両側ブロックおよび中央ブロックが挟持され、更に縦筋挿入用空洞部内にグラウト材が充填されることにより、両側ブロックおよび中央ブロックを固定用鉄筋により強固に接合することが可能となる。
【００１７】
また、両側ブロックおよび中央ブロックのベース部を接合する際に、目地形状に合致するように成型された仮設目地押え材が上位置のベース部目地の下側に挟み込まれると共に、両側ブロックおよび中央ブロックの縦筋挿入用空洞部内に固定用鉄筋が挿入されることにより仮設目地押え材の弾力がブロックの正確な施工を困難とすることを防ぐと共に、目地材料の逸脱、あるいは落下を防止し、目地幅が確保された状態で前記両側ブロックおよび中央ブロックが挟持されることとなる。更に、上下位置のベース部目地にモルタルなどのグラウト材を充填することにより両側ブロックおよび中央ブロックを透かしブロックとして一体化することが可能となる。
【発明の効果】
【００１８】
本発明の透かしブロックは、ＪＩＳ規格基準を満たす建築用コンクリートブロックの性能として要求される全断面積に対する圧縮強さ及び縦筋、横筋を挿入する空洞部の規格を有しつつ基本用、横筋用、隅用ブロックの製造が可能であることにより、配筋位置に制約されることなく、透かしブロックの施工位置を決めることが可能であり、破れ目地および芋目地のいずれかの工法でも構造物の強度を低下させることがない。
【００１９】
また、ブロック成型に求められるコンクリートの密実な充填を行うために、透かしブロックを２種3個のブロックに分割単純化し、ブロックのベース部を傾斜させて厚みを盛上げ、ブロック成型時のコンクリートの流れを良くし密実な充填を可能としている。
【００２０】
また、ベース部をフェイシェル側からブロック内部に向けて傾斜させて厚みを盛り上げているために、外部からの足掛かりを難しくして不審者等の進入を困難にしている。
【発明を実施するための最良の形態】
【００２１】
以下、本発明の実施の形態を図面を参酌しながら説明し、本発明の理解に供する。
図１は、本発明を適用した透かしブロックの一例を示す平面図、図２は、本発明を適用した透かしブロックの一例を示す正面図、図３は、本発明を適用した透かしブロックの固定用鉄筋の一例を示す正面図、図４は、図２Ａ−Ａ線における端面説明図、図５は、本発明を適用した透かしブロックを構成する両側ブロックと中央ブロックとの配列状態の一例を示す平面図である。
【００２２】
ここで示す透かしブロック１は、１種２個の両側ブロック２、２と、この１種２個の両側ブロック２、２との間に介装される中央ブロック３と、この中央ブロック３と両側ブロック２、２とを連結する固定用鉄筋４とから構成されている。
【００２３】
そこで、両側ブロック２は、図６、図７および図８に示すように、ブロックのフェイス面に円弧曲面を有するフェイスシェル１０、１０と、このフェイスシェル１０、１０との間をＸ状に連設されるウェブシェル１１、１１とから形成されている。更に、そのウェブシェル１１の反中央方向の側面には、中央ブロック３と連結するための固定用鉄筋４が挿入できる凹形状の縦筋挿入用空洞部５が形成されている。
【００２４】
また、両側ブロック２は、その内部に軽量化のために設けられる空洞部６が形成され、上部が閉塞されている。更に、両側ブロック２は、中央ブロック３と水平方向に隣接する接合側の上下位置に中央ブロック３のベース部７Ａに嵌め合わせられる凹状のベース部７が形成されている。
【００２５】
いっぽう、中央ブロック３は、図９、図１０及び図１１に示すように、ブロックのフェイス面にフェイスシェル１０Ａ、１０Ａと、このフェイスシェル１０Ａ、１０Ａとの間に菱形状に連設されるウェブシェル１１Ａ、１１Ａとから形成されている。更に、その内部には固定用鉄筋４が挿入できる縦筋挿入用空洞部５Ａが形成されている。更に、中央ブロック３-は、両側ブロック２の水平方向に隣接する接合側の鉛直方向の上下位置に両側ブロック２の上下位置に形成されるベース部７に嵌め合わされる形状のベース部７Ａが形成されている。
【００２６】
また、中央ブロック３のベース部７Ａは、そのフェイスシェル１０Ａ側および目地側よりブロック内部に向けて傾斜をつけてベース部７Ａの厚みを盛り上げた形状とされている。
【００２７】
また、両側ブロック２のベース部７は、その目地側よりブロック内部に向けて傾斜をつけてベース部７の厚みを盛り上げた形状とされている。
【００２８】
また、固定用鉄筋４は中央ブロック３の水平方向の両側位置に両側ブロック２を連接すべく中央ブロック３の縦筋挿入用空洞部５Ａから両側ブロック２の縦筋用空洞部５端までの幅長さを有し、かつ中央ブロック３の縦筋挿入用空洞部５Ａ及び両側ブロック２の縦筋挿入用空洞部５の深長さを有すると共に、その先端がＵ字形状に折り曲げられてモルタル等を縦筋挿入用空洞部５Ａ及び縦筋挿入用空洞部５に充填した場合に強固に係着できる構成とされている。
【００２９】
更に、中央ブロック３及び両側ブロック２の縦筋挿入用空洞部５Ａから縦筋挿入用空洞部５までの上端中央には固定用鉄筋４が嵌め入れられる固定用鉄筋設置用溝８が開口されている。
【００３０】
ここで、図４に示すように、両側ブロック２および中央ブロック３との間には、目地９を介して両側ブロック２のベース部７と中央ブロック３のベース部７Ａを嵌合することにより通気路２０が形成されることとなる。
【００３１】
次に、図１２、図１３、図１４及び図１５は、本発明を適用した透かしブロックの他の例を示す平面説明図である。
図１２に示す透かしブロック１の両側ブロック２は、ブロックのフェイス面に円弧曲面を有するフェイスシェル１０、１０と、このフェイスシェル１０、１０との間に平面状に形成されるウェブシェル１１とから構成されている。更に、そのウェブシェル１１の反中央方向の側面には、中央ブロック３と連結するための固定用鉄筋４が挿入できる凹形状の縦筋挿入用空洞部５が形成されている。
【００３２】
また、両側ブロック２は、その内部に軽量化のために設けられる空洞部６が形成され、上部が閉塞されている。更に、両側ブロック２は、中央ブロック３と水平方向に隣接する接合側の上下位置に中央ブロック３のベース部７Ａに嵌め合わせられる凹状のベース部７が形成されている。
【００３３】
いっぽう、中央ブロック３は、ブロックのフェイス面が円弧曲面を有するように形成されるフェイスシェル１０Ａ、１０Ａと、このフェイスシェル１０Ａ、１０Ａとの間に山形状に連設されるウェブシェル１１Ａ、１１Ａとから形成されている。更に、その内部には固定用鉄筋４が挿入できる縦筋挿入用空洞部５Ａが形成されている。更に、中央ブロックは、両側ブロック２の水平方向に隣接する接合側の鉛直方向の上下位置に両側ブロック２の上下位置に形成されるベース部７に嵌め合わされる形状のベース部７Ａが形成されている。
【００３４】
また、中央ブロック３のベース部７Ａは、そのフェイスシェル１０Ａ側および目地側よりブロック内部に向けて傾斜をつけてベース部７Ａの厚みを盛り上げた形状とされている。
【００３５】
また、両側ブロック２のベース部７は、その目地側よりブロック内部に向けて傾斜をつけてベース部７の厚みを盛り上げた形状とされている。
【００３６】
ここで、図中の破線で示すように、両側ブロック２および中央ブロック３との間には、目地９を介して両側ブロック２のベース部７と中央ブロック３のベース部７Ａを嵌合することにより通気路２０が形成されることとなる。
【００３７】
更に、中央ブロック３及び両側ブロック２の縦筋挿入用空洞部５Ａから縦筋挿入用空洞部５までの上端中央には固定用鉄筋４が嵌め入れられる固定用鉄筋設置用溝８が開口されている。
【００３８】
図１３に示す透かしブロック１の両側ブロック２は、ブロックのフェイス面に直線面を有するフェイスシェル１０、１０と、このフェイスシェル１０、１０との間に直角状に形成されるウェブシェル１１とから構成されている。更に、そのウェブシェル１１の反中央方向の側面には、中央ブロック３と連結するための固定用鉄筋４が挿入できる凹形状の縦筋挿入用空洞部５が形成されている。
【００３９】
また、両側ブロック２は、その内部に軽量化のために設けられる空洞部６が形成され、上部が閉塞されている。更に、両側ブロック２は、中央ブロック３と水平方向に隣接する接合側の上下位置に中央ブロック３のベース部７Ａに嵌め合わせられる凹状のベース部７が形成されている。
【００４０】
いっぽう、中央ブロック３は、ブロックのフェイス面が直線面を有するように形成されるフェイスシェル１０Ａ、１０Ａと、このフェイスシェル１０Ａ、１０Ａとの間に三角形状に連設されるウェブシェル１１Ａ、１１Ａとから形成されている。更に、その内部には固定用鉄筋４が挿入できる縦筋挿入用空洞部５Ａが形成されている。更に、中央ブロックは、両側ブロック２の水平方向に隣接する接合側の鉛直方向の上下位置に両側ブロック２の上下位置に形成されるベース部７に嵌め合わされる形状のベース部７Ａが形成されている。
【００４１】
また、中央ブロック３のベース部７Ａは、そのフェイスシェル１０Ａ側および目地側よりブロック内部に向けて傾斜をつけてベース部７Ａの厚みを盛り上げた形状とされている。
【００４２】
また、両側ブロック２のベース部７は、その目地側よりブロック内部に向けて傾斜をつけてベース部７の厚みを盛り上げた形状とされている。
【００４３】
ここで、図中の破線で示すように、両側ブロック２および中央ブロック３との間には、目地９を介して両側ブロック２のベース部７と中央ブロック３のベース部７Ａを嵌合することにより通気路２０が形成されることとなる。
【００４４】
更に、中央ブロック３及び両側ブロック２の縦筋挿入用空洞部５Ａから縦筋挿入用空洞部５までの上端中央には固定用鉄筋４が嵌め入れられる固定用鉄筋設置用溝８が開口されている。
【００４５】
図１４に示す透かしブロック１の両側ブロック２は、ブロックのフェイス面に直線面を有するフェイスシェル１０、１０と、このフェイスシェル１０、１０との間に直角状に形成されるウェブシェル１１とから構成されている。更に、そのウェブシェル１１の反中央方向の側面には、中央ブロック３と連結するための固定用鉄筋４が挿入できる凹形状の縦筋挿入用空洞部５が形成されている。
【００４６】
また、両側ブロック２は、その内部に軽量化のために設けられる空洞部６が形成され、上部が閉塞されている。更に、両側ブロック２は、中央ブロック３と水平方向に隣接する接合側の上下位置に中央ブロック３のベース部７Ａに嵌め合わせられる凸状のベース部７が形成されている。
【００４７】
いっぽう、中央ブロック３は、ブロックのフェイス面が直線面を有するように形成されるフェイスシェル１０Ａ、１０Ａと、このフェイスシェル１０Ａ、１０Ａとの間に谷形状に連設されるウェブシェル１１Ａ、１１Ａとから形成されている。更に、その内部には固定用鉄筋４が挿入できる縦筋挿入用空洞部５Ａが形成されている。更に、中央ブロックは、両側ブロック２の水平方向に隣接する上下位置に両側ブロック２の上下位置に形成されるベース部７に嵌め合わされる凹形状のベース部７Ａが形成されている。
【００４８】
また、両側ブロック２のベース部７は、そのフェイスシェル１０側および目地側よりブロック内部に向けて傾斜をつけてベース部７の厚みを盛り上げた形状とされている。
【００４９】
また、中央ブロック３のベース部７Ａは、その目地側よりブロック内部に向けて傾斜をつけてベース部７Ａの厚みを盛り上げた形状とされている。
【００５０】
ここで、図中の破線で示すように、両側ブロック２および中央ブロック３との間には、目地９を介して両側ブロック２のベース部７と中央ブロック３のベース部７Ａを嵌合することにより通気路２０が形成されることとなる。
【００５１】
更に、中央ブロック３及び両側ブロック２の縦筋挿入用空洞部５Ａから縦筋挿入用空洞部５までの上端中央には固定用鉄筋４が嵌め入れられる固定用鉄筋設置用溝８が開口されている。
【００５２】
図１５に示す透かしブロック１の両側ブロック２は、ブロックのフェイス面に直線面を有するフェイスシェル１０、１０と、このフェイスシェル１０、１０との間に直角状に形成されるウェブシェル１１とから構成されている。更に、そのウェブシェル１１の反中央方向の側面には、中央ブロック３と連結するための固定用鉄筋４が挿入できる凹形状の縦筋挿入用空洞部５が形成されている。
【００５３】
また、両側ブロック２は、その内部に軽量化のために設けられる空洞部６が形成され、上部が閉塞されている。更に、両側ブロック２は、中央ブロック３と水平方向に隣接する上下位置に中央ブロック３のベース部７Ａに嵌め合わせられる凸状のベース部７が形成されている。
【００５４】
いっぽう、中央ブロック３は、ブロックのフェイス面が直線面を有するように形成されるフェイスシェル１０Ａ、１０Ａと、このフェイスシェル１０Ａ、１０Ａとの間に直線状に連設されるウェブシェル１１Ａ、１１Ａとから形成されている。更に、その内部には固定用鉄筋４が挿入できる縦筋挿入用空洞部５Ａが形成されている。更に、中央ブロックは、両側ブロック２の水平方向に隣接する接合側の鉛直方向の上下位置に両側ブロック２の上下位置に形成されるベース部７に嵌め合わされる凹形状のベース部７Ａが形成されている。
【００５５】
また、中央ブロック３のベース部７Ａは、そのフェイスシェル１０Ａ側および目地側よりブロック内部に向けて傾斜をつけてベース部７Ａの厚みを盛り上げた形状とされている。
【００５６】
また、両側ブロック２のベース部７は、そのフェイスシェル１０側および目地側よりブロック内部に向けて傾斜をつけてベース部７の厚みを盛り上げた形状とされている。
【００５７】
ここで、図中の破線で示すように、両側ブロック２および中央ブロック３との間には、目地９を介して両側ブロック２のベース部７と中央ブロック３のベース部７Ａを嵌合することにより通気路２０が形成されることとなる。
【００５８】
更に、中央ブロック３及び両側ブロック２の縦筋挿入用空洞部５Ａから縦筋挿入用空洞部５までの上端中央には固定用鉄筋４が嵌め入れられる固定用鉄筋設置用溝８が開口されている。
【００５９】
次に、図１６は本発明を適用した透かしブロックにおける隅用ブロックの一例を示す平面図である。
【００６０】
ここで、中央ブロック３の一方のベース部７Ａに接合されるベース部７Ｃが接合側の上下位置に形成された隅用ブロック１２は、円弧面を有するフェイスシェル１０Ｃ、１０Ｃとこのフェイスシェル１０Ｃ、１０Ｃとの間に直線状に連設されるウェブシェル１１Ｃから形成され、更に、その内部には固定用鉄筋４が挿入できる縦筋挿入用空洞部５Ｃが形成されている。
【００６１】
また、隅用ブロック１２の縦筋挿入用空洞部５Ｃからベース部７Ｃの上端中央には固定用鉄筋４が嵌め入れられる固定用鉄筋設置用溝８が開口されている。
【００６２】
また、図１７は本発明を適用した透かしブロックにおける横筋用ブロックの一例における配列状態を示す平面図である。
【００６３】
ここで示す透かしブロック１は、１種２個の両側ブロック２Ａ、２Ａと、この両側ブロック２Ａ、２Ａとの間に介装される中央ブロック３Ａとから構成され、その上端には、横筋および固定用鉄筋（図示せず。）が充分に挿入できる空洞を有する横筋挿入用空洞部１３が形成されている。
【００６４】
両側ブロック２Ａは、図１８、図１９および図２０に示すように、ブロックのフェイス面に円弧曲面を有するフェイスシェル１０、１０と、このフェイスシェル１０、１０との間をＸ状に連設されるウェブシェル１１、１１とから形成されると共に、フェイスシェル１０、１０の上端間には横筋挿入用空洞部１３が形成されている。又、両側ブロック２Ａのウェブシェル１１の反中央方向の側面には、中央ブロック３Ａと連結するための固定用鉄筋４が挿入できる凹形状の縦筋挿入用空洞部５が形成されている。
【００６５】
また、両側ブロック２Ａは、その内部に軽量化のために設けられる空洞部６が形成されると共に、その上部が閉塞されている。更に、両側ブロック２Ａは、中央ブロック３Ａと水平方向に隣接する接合側の上下位置に中央ブロック３Ａのベース部７Ａに嵌め合わせられる凹状のベース部７が形成されている。
【００６６】
次に、中央ブロック３Ａは、図２１、図２２及び図２３に示すように、ブロックのフェイス面にフェイスシェル１０Ａ、１０Ａと、このフェイスシェル１０Ａ、１０Ａとの間に菱形状に連設されるウェブシェル１１Ａ、１１Ａとから形成されると共に、フェイスシェル１０Ａ、１０Ａの上端間には横筋挿入用空洞部１３が形成され、その内部には固定用鉄筋４が挿入できる縦筋挿入用空洞部５Ａが形成されている。更に、中央ブロック３Ａは、両側ブロック２Ａの水平方向に隣接する接合側の鉛直方向の上下位置に両側ブロック２Ａの上下位置に形成されるベース部７に嵌め合わされる形状のベース部７Ａが形成されている。
【００６７】
なお、本実施例ではベース部が接合側の鉛直方向の上下位置に設けられた場合のみを詳述するものであるが、通気路が確保され、かつ両側ブロックと中央ブロックとの接合強度が充分に確保できるものであれば、例えば接合側の鉛直方向の中央部分に一箇所、あるいは接合側の鉛直方向の上下方向に沿って３個所、あるいは４箇所のように複数箇所を設けた構成であっても構わない。
【００６８】
以上の構成とされる透かしブロック１は、両側ブロック２Ａと中央ブロック３Ａのベース部７、７Ａのブロック上部に位置する部分間の目地９の施工は、図２４に一例を示すように、ゴム発泡体等を目地形状に合致するように成型した仮設目地押え材１４を目地９の下側に挟む込むことにより目地材料の逸脱あるいは、落下を防止する。
【００６９】
また、仮設目地押え材１４の弾力によりブロックの正確な施工を行うことが困難なために、固定用鉄筋４を縦筋挿入用空洞部５、５Ａに挿入して両側ブロック２Ａと中央ブロック３Ａを挟持固定することで適正な目地幅を確保し、縦目地施工後にグラウト材を充填して施工する。
【００７０】
更に、両側ブロック２Ａと中央ブロック３Ａの下部に位置するベース部７、７Ａ部分間の目地９Ａの施工は、通気路２０の幅が狭小であることからベース部７、７Ａの縦目地施工後にグラウト材を充填して施工する。
【００７１】
次に、両側ブロック２Ａと中央ブロック３Ａとを連結固定し一体化させるために、ブロック上部に位置する目地９の施工時において、固定用鉄筋が挿入された両側ブロック２Ａおよび中央ブロック３Ａの縦筋挿入用空洞部５および５Ａにグラウト材を充填する。
【００７２】
本発明の透かしブロックを構成する両側ブロック及び中央ブロックは、フェイスシェルとウェブシェルを有し、それぞれのブロックがウェブシェルを２箇所有することにより通常の建築用コンクリートブロックより２箇所多くなるために、ウェブシェルのブロック長さに対するウェブ厚率２０％以上の基準を満たすと共に、通気路の入り口を構成するフェイスシェルの開口部の断面積より、２箇所多いウェブシェルの断面積の合計の方が多いことにより、ブロックの性能として要求される全断面積に対する圧縮強さの基準は満たされることになる。
【００７３】
また、本発明の透かしブロックを、３９０ｍｍ×１９０ｍｍ×１２０ｍｍの規格の建築用コンクリートブロックと併用する場合、本発明の透かしブロックを構成する両側ブロックは、水平方向に隣接する建築用コンクリートブロック又は本発明の同種ブロックの縦筋挿入用空洞部と目地部を合せて、最小幅６０ｍｍ以上、かつ断面積４２ｃｍ２  以上の縦筋挿入用の空洞部を有することが可能となる。
【００７４】
なお、前記同条件の場合、本発明の透かしブロックを構成する中央ブロックは、単独で最小幅６０ｍｍ以上、かつ断面積４２ｃｍ２  以上の縦筋挿入用の空洞部を有することが可能となる。
【００７５】
また、前記同条件の場合、横筋用ブロックの場合においても、両側ブロックと中央ブロックは共に、横筋を挿入する空洞部の最小深さ５０ｍｍ以上、かつ最小径６０ｍｍ以上のＪＩＳ規格基準を満たしている。
【００７６】
なお、本発明の透かしブロックは、隅用ブロックも同様にＪＩＳ規格基準を満たしており、基本ブロック、横筋用ブロック、隅用ブロックの３種をそろえることが可能となる。
【００７７】
本発明の透かしブロックを構成する両側ブロックと中央ブロックは、それぞれのブロックとの接合側の上下位置に水平方向に隣接するブロックとの間に目地を介して間隔を保つため、かつ設置する際に安定させること及び組合せの強度を高めるために嵌め合わせ形状のベース部を設けている。
【００７８】
更に、コンクリートが密実に充填可能となる目的と構造物外部からの足掛かりを難しくし、侵入を困難にする目的及びベース部の構造強化の目的で両側ブロックと中央ブロックは共に、フェイスシェル側からブロック内部に向けて概フェイスシェルの厚みの距離は傾斜をつけてベース部の厚みを盛り上げ、かつ中央側は傾斜角度を変化させると共に目地側からブロック中央に向けて傾斜をつけてベース部の厚みを盛り上げている。
【００７９】
次に、下部ベース部間の目地施工は、通気路の幅が狭小であることから施工が困難を来たす可能性があるために、ベース部の縦目地施工後にグラウト材を充填することで確実に施工が可能となる。
【００８０】
また、上部ベース間の目地施工は、目地からの目地材料の逸脱、落下が考えられることから、ある程度の弾力が期待できるゴム発泡体等を目地形状に合致するように成型した仮設目地押え材を、上部ベース部目地の下側に挟み込みゴム発泡体等の弾力により目地材料の逸脱、脱落を防止することが可能となる。
【００８１】
更に、仮設目地押え材の弾力がブロックの正確な施工を困難にすることを防ぐために、固定用鉄筋を両側ブロックと中央ブロックの縦筋挿入用空洞部に挿入して両側ブロックと中央ブロックを固定した上で、縦目地施工後にグラウト材を充填することで確実に施工可能となる。
【図面の簡単な説明】
【００８２】
【図１】本発明を適用した透かしブロックの一例を示す平面図である。
【図２】本発明を適用した透かしブロックの一例を示す正面図である。
【図３】本発明を適用した透かしブロックの固定用鉄筋の一例を示す正面図である。
【図４】本発明を適用した透かしブロックの図２のＡ−Ａ線における端面説明図である。
【図５】本発明を適用した透かしブロックの配列の一例を示す平面図である。
【図６】本発明を適用した透かしブロックを構成する両側ブロックの一例を示す平面図である。
【図７】本発明を適用した透かしブロックを構成する両側ブロックの一例を示す正面図である。
【図８】本発明を適用した透かしブロックを構成する両側ブロックの一例を示す側面図である。
【図９】本発明を適用した透かしブロックを構成する中央ブロックの一例を示す平面図である。
【図１０】本発明を適用した透かしブロックを構成する中央ブロックの一例を示す正面図である。
【図１１】本発明を適用した透かしブロックを構成する中央ブロックの一例を示す側面図である。
【図１２】本発明を適用した透かしブロックの配列の他の例を示す平面図である。
【図１３】本発明を適用した透かしブロックの配列の他の例を示す平面図である。
【図１４】本発明を適用した透かしブロックの配列の他の例を示す平面図である。
【図１５】本発明を適用した透かしブロックの配列の他の例を示す平面図である。
【図１６】本発明を適用した透かしブロックにおける隅用ブロックの一例を示す平面図である。
【図１７】本発明を適用した透かしブロックにおける横筋用ブロックの一例の配列を示す平面図である。
【図１８】本発明を適用した透かしブロックにおける横筋用ブロックの両側ブロックの一例を示す平面図である。
【図１９】本発明を適用した透かしブロックにおける横筋用ブロックの両側ブロックの一例を示す正面図である。
【図２０】本発明を適用した透かしブロックにおける横筋用ブロックの両側ブロックの一例を示す側面図である。
【図２１】本発明を適用した透かしブロックにおける横筋用ブロックの中央ブロックの一例を示す平面図である。
【図２２】本発明を適用した透かしブロックにおける横筋用ブロックの中央ブロックの一例を示す正面図である。
【図２３】本発明を適用した透かしブロックにおける横筋用ブロックの中央ブロックの一例を示す側面図である。
【図２４】本発明を適用した透かしブロックにおける仮設目地押え材の平面図である。
【符号の説明】
【００８３】
１          透かしブロック
２、２Ａ    両側ブロック
３、３Ａ    中央ブロック
４          固定用鉄筋
５、５Ａ、５Ｃ    縦筋挿入用空洞部
６                空洞部
７、７Ａ    ベース部
８          固定用鉄筋設置用溝
９          目地
１０、１０Ａ、１０Ｃ  フェイスシェル
１１、１１Ａ、１１Ｃ  ウェブシェル
１２        隅用ブロック
１３        横筋挿入用空洞部
１４        仮設目地押え材
２０        通気路
【図１】
2010100997.tif 000003
【図２】
2010100997.tif 000004
【図３】
2010100997.tif 000005
【図４】
2010100997.tif 000006
【図５】
2010100997.tif 000007
【図６】
2010100997.tif 000008
【図７】
2010100997.tif 000009
【図８】
2010100997.tif 000010
【図９】
2010100997.tif 000011
【図１０】
2010100997.tif 000012
【図１１】
2010100997.tif 000013
【図１２】
2010100997.tif 000014
【図１３】
2010100997.tif 000015
【図１４】
2010100997.tif 000016
【図１５】
2010100997.tif 000017
【図１６】
2010100997.tif 000018
【図１７】
2010100997.tif 000019
【図１８】
2010100997.tif 000020
【図１９】
2010100997.tif 000021
【図２０】
2010100997.tif 000022
【図２１】
2010100997.tif 000023
【図２２】
2010100997.tif 000024
【図２３】
2010100997.tif 000025
【図２４】
2010100997.tif 000026